(57)【要約】本出願は、付着装置およびこれを利用した積層体の製造方法に関する。本出願の例示的な付着装置は、多様な部品を高精度で付着することができる。例えば、前記付着装置は、液晶パネルと立体映像表示用光学フィルタを高精度で付着し、クロストーク（ｃｒｏｓｓ−ｔａｌｋ）現象を最小化した立体映像表示装置を提供することができる。
2014524592.tif 000002
【特許請求の範囲】
【請求項１】
第１部品が保持されるように設置されており、１つ以上のホールが形成されている保持台と、前記保持台に第１部品が保持されれば、前記ホールを介した吸入工程で前記第１部品を前記保持台に固定するように設置されている固定装置とを含む第１支持部と；第２部品を固定するように設置された第２支持部と；固定されている第１および第２部品が互いに積層されるように前記第１支持部および第２支持部の相対的位置を変更するように設置された移送部と；を含む付着装置。
【請求項２】
第２支持部は、吸入を用いた吸着方式で第２部品を固定するように設置されている、請求項１に記載の付着装置。
【請求項３】
光信号を通じて第１部品の状態を観察するように設置された第１ビジョンカメラ、光信号を通じて第２部品の状態を観察するように設置された第２ビジョンカメラおよび全反射レンズを含み、前記全反射レンズは、前記第１ビジョンカメラで照射された光信号または前記第２ビジョンカメラで照射された光信号が前記全反射レンズを経て第１または第２部品に到逹するように設置されている、請求項１に記載の付着装置。
【請求項４】
全反射レンズは、第１ビジョンカメラの光信号および第２ビジョンカメラの光信号のうちいずれか一方の信号は、前記全反射レンズを透過し、第１および第２部品のうちいずれか一方の部品に到逹することができ、他方の信号は、前記全反射レンズによって全反射または屈折され、第１および第２部品のうち他方の部品に到逹するように設置されている、請求項３に記載の付着装置。
【請求項５】
全反射レンズは、いずれか一方の光信号が透過する部位と他方の光信号が全反射または屈折される部位が同一であるように設置されている、請求項４に記載の付着装置。
【請求項６】
全反射レンズは、前記レンズを透過したいずれか一方の光信号および前記レンズによって全反射または屈折された他方の光信号が同一方向に進行するように設置されている、請求項５に記載の付着装置。
【請求項７】
第１ビジョンカメラ、第２ビジョンカメラおよび全反射レンズは、第１または第２支持部の内部に内蔵されている、請求項３に記載の付着装置。
【請求項８】
移送部によって互いに積層された第１および第２部品の積層体に圧力を印加するように設置された付着ローラーをさらに含む、請求項１に記載の付着装置。
【請求項９】
保持台は、メッシュ型プレートである、請求項１に記載の付着装置。
【請求項１０】
保持台は、複数のホールを含み、保持台の末端部に形成されているホールの密度が、保持台の中央部に形成されているホールの密度より高い、請求項１に記載の付着装置。
【請求項１１】
第１部品は、液晶パネルであり、第２部品は、光学フィルムである、請求項１に記載の付着装置。
【請求項１２】
光学フィルムは、偏光板、位相差フィルムまたは立体映像表示用光学フィルタである、請求項１１に記載の付着装置。
【請求項１３】
１つ以上のホールが形成されている保持台に第１部品を位置させ、前記ホールを介した吸入で前記第１部品を前記保持台に固定し、前記固定された第１部品と第２支持部に固定されている第２部品が互いに積層されるように前記第１部品および第２部品の相対的位置を移動させることを含む第１および第２部品の積層体製造方法。
【請求項１４】
第２部品は、吸入を用いた吸着で第２支持部に固定されている、請求項１３に記載の製造方法。
【請求項１５】
保持台の末端部でホールを通じて吸入する吸入力が、保持台の中央部での吸入力より大きいように調節し、第１部品を保持台に固定する、請求項１３に記載の製造方法。
【請求項１６】
第１部品には、特性が異なる第１および第２領域を含むパターンが形成されており、第２部品には、特性が異なる第３および第４領域を含むパターンが形成されており、第１および第２部品の積層は、前記第１および第３領域が積層体で重なって、前記第２および第４領域が積層体で重なるように行われる、請求項１３に記載の製造方法。
【請求項１７】
第１部品は、第１領域として右眼用映像信号生成領域および第２領域として左眼用映像信号生成領域を含む立体映像表示用液晶パネルであり、第２部品は、第３領域として右眼用映像信号の偏光調節領域および第４領域として左眼用映像信号の偏光調節領域を含む立体映像表示用光学フィルタである、請求項１６に記載の製造方法。
【請求項１８】
第１ビジョンカメラ、第２ビジョンカメラおよび全反射レンズを含み、前記全反射レンズは、前記第１または第２ビジョンカメラで照射された光信号が前記全反射レンズを経て第１または第２部品に到逹するように設置されているシステムを使用して、第１部品と第２部品が閉鎖構造を形成した状態で前記第１および第２部品の位置を識別することをさらに含む、請求項１３に記載の製造方法。
【請求項１９】
第１および第２部品の積層体に付着ローラーで圧力を印加することを含む、請求項１３に記載の製造方法。
【発明の詳細な説明】
【技術分野】
【０００１】
本出願は、付着装置およびこれを利用した積層体の製造方法に関する。
【背景技術】
【０００２】
ＬＣＤ（Ｌｉｑｕｉｄ  Ｃｒｙｓｔａｌ  Ｄｉｓｐｌａｙ）などのようなディスプレイ装置または他の電子製品の製造過程では、２個以上の部品を互いに付着させる工程が行われる場合が多い。このような工程の例としては、ＬＣＤのパネルと偏光フィルムまたは位相差フィルムなどのような光学フィルムを互いに付着する場合をあげることができる。また、例えば、立体映像表示装置を構成するためには、図１に模式的に示されたように、右眼および左眼用映像信号（以下、「Ｒ信号」および「Ｌ信号」という）を生成する領域が分割されて形成された液晶パネル１００と、ＲおよびＬ信号の偏光状態を互いに異なるように調節するパターンが形成された光学フィルタ２００を付着しなければならない。立体映像表示装置は、液晶パネル１００の前記Ｒ信号を生成する領域（以下、「ＵＲ領域」という）で伝達された信号が光学フィルタのＲ信号の偏光状態を調節する領域（以下、「ＦＲ領域」という）を経て、同様に、液晶パネル１００の前記Ｌ信号を生成する領域（以下、「ＵＬ領域」という）で伝達された信号が光学フィルタのＬ信号の偏光状態を調節する領域（以下、「ＦＬ領域」という）を経て、Ｒ信号とＬ信号を分離し、視聴者に伝達するようにする。したがって、液晶パネルのＵＲ領域と光学フィルタのＦＲ領域がマッチング（ｍａｔｃｈｉｎｇ）され、液晶パネルのＵＬ領域と光学フィルタのＦＬ領域が高精度でマッチングされるように液晶パネルと光学フィルタが付着されることが要求される。もし、液晶パネルのＵＲ領域が光学フィルタのＦＬ領域と付着される部分があったら、Ｒ信号は、右眼ではない左眼に入射されることとなる。したがって、立体映像表示装置において左眼に入射されるＬ信号を基準として左眼に入射されるＲ信号の百分率の値で示すクロストーク（ｃｒｏｓｓｔａｌｋ）が高くなって、立体映像を視聴することが難しくなる問題が発生する。したがって、立体映像表示装置の場合、特に高精度で液晶パネルと光学フィルタを付着することができる付着装置を利用して製造することが要求される。
【発明の開示】
【発明が解決しようとする課題】
【０００３】
本出願は、付着装置およびこれを利用した積層体の製造方法を提供する。
【課題を解決するための手段】
【０００４】
本出願の１つの具現例は、第１部品が保持されるように設置されており、１つ以上のホールが形成されている保持台と、前記保持台に第１部品が保持されれば、前記ホールを介した吸入工程で前記第１部品を前記保持台に固定するように設置されている固定装置とを含む第１支持部と；第２部品を固定するように設置された第２支持部と；固定されている第１および第２部品が互いに積層されるように前記第１支持部および第２支持部の相対的位置を変更するように設置された移送部とを含む付着装置に関する。
【０００５】
本明細書において「第１部品が保持されるように設置」されているという意味は、付着装置が付着工程を行う過程で保持台に第１部品が保持されるように設置されているという意味であり、駆動されない状態にある付着装置は、第１部品を含まなくてもよい。また「第２部品を固定するように設置」されているという意味は、同一に解釈されることができる。
【０００６】
本明細書において「第１部品」、「第２部品」、「第１支持部」および「第２支持部」は、２個の部品および支持部を説明するために任意的に順番を付けたものである。従って、以下に例示した第１部品の構成が第２支持部に位置するか、または第２部品の構成が第１支持部に位置することも可能である。
【０００７】
１つの例示において、第２支持部は、吸入を用いた吸着方式で第２部品を固定するように設置されることができる。例えば、前記第２支持部は、前記第１支持部のように、第２部品が保持されるように設置されており、１つ以上のホールが形成された保持台と、前記保持台に第２部品が保持されれば、前記ホールを介した吸入工程で前記第２部品を前記保持台に固定するように設置されている固定装置とを含むことができる。
【０００８】
１つの例示において、第１または第２支持部の吸入力によって第１または第２部品が第１または第２支持部方向に撓む現象を防止するために、第１または第２支持部の中央での吸入力を端部より弱く調節することができる。
【０００９】
１つの例示において、第１または第２支持部の中央での吸入力を端部より弱く調節するために、前記保持台は、複数のホールを含み、保持台の末端部に形成されているホールの密度が保持台の中央部に形成されているホールの密度より高いものであることができる。ここで、ホールの密度は、単位面積当たり複数のホールが有する面積比を意味する。例えば、複数のホールがいずれも同一の面積を有するものなら、ホールの密度が大きいというのは、単位面積当たりホールの個数が多いものと理解されることができる。また、図２を参照すれば、保持台の末端部１１１１は、保持台の全体領域を横方向で同一の面積を有する３個の領域に分け、縦方向で同一の面積を有する３個の領域に分けたとき、末端に位置する領域を意味することができる。したがって、前記保持台の中央部１１１２は、前記保持台の末端部を除いた保持台の中央に位置する領域を意味することができる。
【００１０】
前記保持台は、ホールが形成されているものなら、当業界で使用する構成を制限なく使用することが可能である。例えば、前記保持台は、メッシュ（ｍｅｓｈ）型プレートなどを使用することが可能である。
【００１１】
１つの例示において、前記付着装置には、第１および第２部品の位置を識別することができるマルチビジョンシステムが導入されることができる。例えば、マルチビジョンシステムは、光信号を通じて第１部品の状態を観察するように設置された第１ビジョンカメラ、光信号を通じて第２部品の状態を観察するように設置された第２ビジョンカメラおよび全反射レンズを含むことができる。ここで、部品の状態を観察するという意味は、部品の位置を識別することができるという意味として解釈されることができる。
【００１２】
１つの例示によるマルチビジョンシステムは、第１部品と第２部品が実質的に密着されている閉鎖構造でも、ビジョン構造を可能にするものであることができる。前記閉鎖構造において第１部品と第２部品の離隔距離は、例えば、１０ｍｍ以下、９ｍｍ以下、８ｍｍ以下、７ｍｍ以下、６ｍｍ以下、５ｍｍ以下、４ｍｍ以下、３ｍｍ以下、２ｍｍ以下または１ｍｍ以下であることができる。また、実際第１部品と第２部品が密着された状態であるほど、第１部品と第２部品の付着精度を向上させることができるものなので、前記閉鎖構造において第１部品と第２部品の離隔距離の下限は、特に限定されず、例えば０ｃｍまたは０ｃｍ超過であることができる。
【００１３】
前記全反射レンズは、光の入射角によって光を透過するか、または全部反射することができるレンズを意味することができる。具体的に、全反射レンズに入射する光は、屈折なしにそのまま透過されるか、屈折して透過されることができ、または全反射されることができる。
【００１４】
１つの例示において、全反射レンズは、前記第１ビジョンカメラで照射された光信号または前記第２ビジョンカメラで照射された光信号が前記全反射レンズを経て第１または第２部品に到逹するように設置されることができる。
【００１５】
また、前記全反射レンズは、例えば、前記光信号のうちいずれか一方の信号は、前記全反射レンズを透過し、第１および第２部品のうちいずれか一方の部品に到逹し、他方の信号は、前記全反射レンズによって全反射または屈折され、第１および第２部品のうち他方の部品に到逹するように設置されることができる。全反射レンズを透過し、第１または第２部品に到逹する信号は、全反射レンズを屈折なしにそのまま透過することもでき、または屈折して透過することもできる。
【００１６】
前記全反射レンズを透過し、第１および第２部品のうちいずれか一方の部品に到逹する光信号および全反射レンズによって全反射または屈折され、第１および第２部品のいずれか他方の部品に到逹する光信号は、第１および第２部品の同一部位に到逹するように全反射レンズを設置することができる。
【００１７】
ここで、第１および第２部品の同一部位というのは、例えば、第１および第２部品が重なるように配列された状態で第１部品のいずれか１つの部位を貫通し、第１部品の貫通する面に垂直な仮想の線が第２部品に当接する部位を前記第１部品のいずれか１つの部位と同一の部位として説明することができる。しかし、実質的誤差を勘案して、前記仮想の線が第２部品に当接する部位で半径５ｍｍ以内、３ｍｍ以内、１ｍｍ以内または０．５ｍｍ以内の領域も、前記同一部位に含むことができる。
【００１８】
このようなマルチビジョンシステムを通じて第１および第２部品の同一部位を観測することによって、第１および第２部品を目的する配列に積層することができる。
【００１９】
１つの例示において、マルチビジョンシステムを通じて第１および第２部品の同一部位を観測するように、全反射レンズは、前記光信号のうちいずれか一方の光信号が透過する部位と他方の光信号が全反射または屈折される部位が同一であるように設置することができる。
【００２０】
また、全反射レンズは、前記レンズを透過したいずれか一方の光信号および前記レンズによって全反射または屈折された他方の光信号が同一方向に進行するように設置することができる。
【００２１】
したがって、前記全反射レンズは、いずれか一方の信号が透過する部位と他方の信号が全反射または屈折される部位を同一にし、前記２つの信号が同一方向に進行するように設置し、第１および第２部品の同一部位を観測することができる。
【００２２】
１つの例示において、前記第１ビジョンカメラ、第２ビジョンカメラおよび全反射レンズは、第１または第２支持部の内部に内蔵されて設置することができる。
【００２３】
１つの例示において、付着装置は、移送部によって互いに積層された第１および第２部品の積層体に圧力を印加するように設置された付着ローラーをさらに含むことができる。
【００２４】
１つの例示において、第１および第２部品は、当業界で採用する方式によって付着されることができる。例えば、第１および第２部品は、通常の接着剤または粘着剤によって付着されることができる。したがって、１つの例示において、付着ローラーは、第１および第２部品の間に通常の接着剤または粘着剤が介在された状態で積層された積層体に圧力を印加し、第１および第２部品を付着することができる。
【００２５】
１つの例示において、前記第１部品は、液晶パネルなどであることができる。また、１つの例示において、前記第２部品は、光学フィルムなどであることができる。前記光学フィルムは、液晶パネルに付着されることができるものなら特に制限されないが、例えば、偏光板、位相差フィルム、保護フィルムおよび立体映像表示用光学フィルタなどであることができる。
【００２６】
１つの例示において、前記第１部品は、ＵＲおよびＵＬ領域が形成された液晶パネルであり、第２部品は、ＦＲおよびＦＬ領域が形成された立体映像表示用光学フィルタであることができる。したがって、前記付着装置は、例えば、立体映像表示装置の製造装置または立体映像表示装置の製造装置のうち一部であることができる。
【００２７】
本出願の他の具現例は、１つ以上のホールが形成されている保持台に第１部品を位置させ、前記ホールを介した吸入で前記第１部品を前記保持台に固定し、前記固定された第１部品と第２支持部に固定されている第２部品が互いに積層されるように前記第１部品および第２部品の相対的位置を移動させることを含む第１および第２部品の積層体製造方法に関する。
【００２８】
１つの例示において、第１および第２部品の積層体製造方法は、前述した付着装置を利用して行われることができる。
前記第２部品は、例えば、吸入を用いた吸着で第２支持部に固定されることができる。
【００２９】
１つの例示において、第１または第２支持部の吸入力によって第１または第２部品が第１または第２支持部方向に撓む現象を防止するために、第１または第２支持部の中央での吸入力を端部より弱く調節することができる。
【００３０】
１つの例示において、第１または第２支持部の中央での吸入力を端部より弱く調節するために、保持台の末端部でホールを通じて吸入する吸入力が保持台の中央部での吸入力より大きいように調節することができる。前記保持台の末端部と中央部は、前述したように、図２を参照して理解することができる。
【００３１】
１つの例示において、第１部品には、特性が異なる第１および第２領域を含むパターンが形成されており、第２部品には、特性が異なる第３および第４領域を含むパターンが形成されていてもよい。また、第１および第２部品の積層は、前記第１および第３領域が積層体で重なって、前記第２および第４領域が積層体で重なるように行われるものであることができる。
【００３２】
１つの例示において、第１部品は、第１領域としてＵＲ領域および第２領域としてＵＬ領域を含む立体映像表示用液晶パネルであることができる。また、第２部品は、第３領域としてＦＲ領域および第４領域としてＦＬ領域を含む立体映像表示用光学フィルタであることができる。したがって、前記立体映像表示用液晶パネルと立体映像表示用光学フィルタの積層は、前記ＵＲ領域とＦＲ領域が積層体で重なって、前記ＵＬ領域とＦＬ領域が積層体で重なるように行われるものであることができる。
【００３３】
１つの例示において、積層体の製造方法は、第１部品と第２部品が閉鎖構造を形成した状態で前記第１および第２部品の位置を識別することができるマルチビジョンシステムをさらに使用することができる。
【００３４】
前記マルチビジョンシステムは、例えば、前述したように、第１ビジョンカメラ、第２ビジョンカメラおよび全反射レンズを含んで駆動されるものであることができる。すなわち、前記全反射レンズは、前記第１または第２ビジョンカメラで照射された光信号が前記全反射レンズを経て第１または第２部品に到逹するように設置されていてもよい。前記マルチビジョンシステムを駆動する方法は、前述したものと同一の方式で行われることができる。
【００３５】
１つの例示において、積層体の製造方法は、第１および第２部品の積層体に付着ローラーで圧力を印加することを含むことができる。また、例えば、前述したように、第１および第２部品の積層体は、第１および第２部品の間に通常の粘着剤または接着剤を介在したものであることができる。したがって、通常の接着剤または粘着剤が介在された状態の第１および第２部品の積層体は、付着ローラーによって印加された圧力で付着することができる。
【００３６】
１つの例示において、前記積層体の製造方法は、立体映像表示装置の製造方法または立体映像表示装置の製造方法のうち一部であることができる。
【発明の効果】
【００３７】
本出願の例示的な付着装置は、多様な部品を高精度で付着することができる。例えば、前記付着装置は、液晶パネルと立体映像表示用光学フィルタを高精度で付着し、クロストーク（ｃｒｏｓｓ−ｔａｌｋ）現象を最小化した立体映像表示装置を提供することができる。
【図面の簡単な説明】
【００３８】
図１は、１つの例示として、液晶パネルと立体映像表示用光学フィルタを付着し、立体映像表示装置を製造する様子を概略的に示す図である。（ａ）は、製造された立体映像表示装置の側面であり、（ｂ）は、立体映像表示装置の正面である。
図２は、１つの例示である保持台において末端部と正面部を説明するための図である。
図３は、１つの実施例による付着装置の側面を概略的に示す図である。
図４は、図３の付着装置を上部で観察した様子を概略的に示す図である。
図５は、図３の付着装置を下部で観察した様子を概略的に示す図である。
図６は、図３の支持部に第１部品が位置する様子を概略的に示す図である。
図７は、図３のマルチビジョンシステムが閉鎖構造を成している第１部品と第２部品の同一部位を観測する状態を概略的に示す図である
図８は、１つの実施例による積層体の製造工程を概略的に示す図である。
【発明を実施するための最良の形態】
【００３９】
以下、図３〜図５を参照して本出願の具現例を説明するが、本出願の範囲が下記提示された具現例によって制限されるものではない。
【００４０】
図３は、１つの具現例による付着装置の側面を概略的に示すものであり、図４は、図３と同一の装置を上部で観察した様子を示すものであり、図５は、図３と同一の装置を下部で観察した様子を示すものである。図４では、付着装置を上部で観察する場合、第１部品１００が第１支持部１１に隠されて見えないので、第１部品１００は、点線で表示し、その位置を表示した。また、図５では、付着装置の下部では、第２部品２００が観察されないので、第２部品２００は、点線で表示した。図３〜図５で、同一の参照符号は、同一の部位を示す。
【００４１】
１つの例示において、前記付着装置は、図３のように、第１支持部１１、第２支持部１２および移送部（図示せず）を含むことができる。図３においては、付着装置のいずれか一時点での様子を示すもので、図３では、第１支持部１１および第２支持部１２が上下で対向するように配列されているが、第１支持部１１および第２支持部１２の配列は、移送部によって自由に変更されることができる。また、図３に示されたように、前記付着装置は、マルチビジョンシステム１３が導入されており、付着ローラー１４を具備した装置であることができる。１つの例示である図３のように、マルチビジョンシステム１３および付着ローラー１４は、第２支持部１２に内蔵されていてもよい。特にマルチビジョンシステム１３の場合、閉鎖構造の第１および第２部品の位置を識別するために、第１または第２支持部に内蔵することができる。この場合、第１および第２部品の付着位置を識別した後、すぐ付着工程に進入することができ、付着精度を向上させることができる。しかし、図３に示された様子は、１つの例示であって、当業者によって付着装置のうちマルチビジョンシステムが導入される位置および付着ローラーが装着された位置は、容易に変更することができる。
【００４２】
１つの例示である図６を参照して、前記付着装置のうち第１支持部について説明する。前記第１支持部１１は、第１部品１００などが保持されるように設置された保持台１１１を含むことができる。前記保持台１１１は、例えば、１つ以上のホール１１３が形成されたものであることができる。前記保持台１１１のホール１１３は、図面において誇張されるように表現されたものであって、実際ホール１１３は、非常に狭く形成することができる。例えば、前記保持台は、メッシュ型プレートを使用して設置することができる。
【００４３】
また、前記第１支持部１１は、第１部品１００をホールを介した吸入工程で固定することができる固定装置１１２を含むことができる。図６には、保持台１１１のホール１１３を通じて気体が固定装置１１２に吸入される方向を矢印で表示した。図６の第１支持部１１は、保持台１１１および固定装置１１２を含み、保持台１１１のホールが形成されない部分には、照明１３４を設置し、図３の第１支持部１１のように構成することができる。
【００４４】
前記第２支持部は、多様な方法を用いて第２部品を固定させることができる。そのうち、前記第２支持部は、例えば前記第１支持部のように、保持台および固定装置を含んで設置されることによって、第２部品を第２支持部上に固定することができる。
【００４５】
前記移送部は、図３〜図５には図示されていないが、第１支持部および第２支持部の相対的位置を変更することができるように設置されたものであって、当業界で採用する構成を制限なく使用することが可能である。
【００４６】
前記マルチビジョンシステムは、前記付着装置が第１および第２部品を高精度で付着することがきる。
【００４７】
１つの例示において、第１および第２部品を高精度で付着するということは、特性が異なる第１領域と第２領域を含むパターンが形成された第１部品１００と、特性が異なる第３領域と第４領域を含むパターンが形成されている第２部品２００とを付着するに際して、第１および第２部品の積層は、前記第１領域と第３領域が積層体で重なって、前記第２領域と第４領域が積層体で重なる程度に誤差がほとんどないものと説明することができる。前記誤差には、実際実質的に発生し得る製造誤差を含むものであって、例えば、１００μｍ以内の誤差、５０μｍ以内の誤差、３０μｍ以内の誤差または１０μｍ以内の誤差を含むことができる。
【００４８】
１つの例示である図７のように、前記マルチビジョンシステムは、第１部品１００と第２部品２００の下部に位置するように導入することができる。前記マルチビジョンシステム１３は、例えば、前述したように、第１ビジョンカメラ１３１、第２ビジョンカメラ１３２および全反射レンズ１３３を含むことができる。前記全反射レンズは、例えば、前述したように、全反射レンズに入射される光の角度によって光を屈折なしにそのまま透過または屈折して透過させることができ、または光を全反射させることができる。
【００４９】
このような全反射レンズ１３３は、１つの例示である図７のように、第１ビジョンカメラ１３１の光信号は、全反射レンズによって屈折され、第１および第２部品のうちいずれか一方の部品に到逹し、第２ビジョンカメラ１３２の光信号は、全反射レンズをそのまま透過し、他方の部品に到逹するように設置することができる。また、前記光信号は、図７のように、全反射レンズの同一部位で屈折されるか、または透過されるようにし、前記光信号が同一方向に進行されるように全反射レンズを設置し、第１および第２部品の同一部位を観測することができる。前記同一部位は、前述したような意味として説明することができる。
【００５０】
前記マルチビジョンシステムで第１および第２部品の配列を確認することができる構造が第１および第２部品の積層体と類似の構造であるほど、第１および第２部品を高精度で付着することが可能である。その理由は、第１および第２部品の配列を確認することができる構造がさらに密着した状態で確認が可能であるほど、第１および第２部品の配列を維持したまま、最小限の動きだけで第１および第２部品を付着することができるからである。もし、第１および第２部品の配列を確認することができる構造が、第１および第２部品が所定間隔以上離隔された構造なら、第１および第２部品の配列が正確に調節された状態であるとしても、第１および第２部品の相対的位置を移動させて付着する過程中に初期に設定された配置状態で第１または第２部品の配列が離脱することがある。したがって、第１および第２部品の付着精度が悪くなることがある。
【００５１】
１つの例示である図７のように配置されて具現されるマルチビジョンシステム１３は、駆動状態にある付着装置に第１部品１００および第２部品２００が実質的に閉鎖構造で配置された状態でも位置の識別が可能である。この際、閉鎖構造を成している第１部品および第２部品の離隔距離は、例えば１０ｍｍ以下、９ｍｍ以下、８ｍｍ以下、７ｍｍ以下、６ｍｍ以下、５ｍｍ以下、４ｍｍ以下、３ｍｍ以下、２ｍｍ以下または１ｍｍ以下であることができる。したがって、前記マルチビジョンシステムを利用して第１および第２部品の精度を向上させることができる。
【００５２】
１つの例示において、前記マルチビジョンシステムは、照明をさらに含んで具現されることができる。前記照明１３４は、例えばビジョンカメラによる部品の位置確認を可能にする役目をすることができる。また、前記照明１３４は、例えば、図３のように、第１および第２ビジョンカメラと対向するように設置することができる。
【００５３】
１つの例示において、前記付着ローラー１４は、第１部品１００および第２部品２００の積層体に圧力を印加するように設置することができる。この際、第１および第２部品は、例えば、移送部によって第１および第２部品が互いに積層されるように相対的位置が変更された状態にあり得る。
【００５４】
前記付着ローラー１４は、例えば、図３および図５に示されたように、第２支持部１２内に設置することができる。１つの例示において、前記付着ローラー１４は、付着装置が駆動されない状態または付着装置が駆動される状態であるとしても、第１部品と第２部品が付着する時点以外には、保持台から所定間隔をもって離隔された状態で配置されていてもよい。しかし、前記付着ローラー１４は、第１および第２部品に圧力を印加しようとする時点で保持台に当接するように移動し、保持台と当接した状態で圧力を印加することができる。
【００５５】
前記付着装置は、第１部品および第２部品を互いに付着する装置であって、付着される第１部品および第２部品は、例えば、精密な付着が要求される光学装置の部品であることができる。１つの例示において、第１部品または第２部品のうちいずれか一方は、液晶パネルであることができ、他方は、光学フィルムであることができる。また、前記光学フィルムは、偏光板、位相差フィルム、保護フィルムまたは立体映像表示用光学フィルタであることができる。
【００５６】
１つの例示において、前記付着装置は、立体映像表示装置の製造装置であるか、あるいはその製造装置の一部であることができる。
【００５７】
１つの例示において、図８を参照して前述した付着装置で第１および第２部品の積層体を製造する方法を説明する。
【００５８】
１つの例示である図８を参照すれば、１つ以上のホールが形成されている保持台（図示せず）に第１部品１００を位置させることができる。前記第１部品１００は、前記ホールを介した吸入工程で第１支持部１１の保持台に固定されることができる。また、第２部品２００は、 第２支持部１２上に固定されることができる。前記第２部品２００が第２支持部１２上に固定される方式は、第１部品が第１支持部に固定される方式と同一である。前記第１支持部１１に固定された第１部品１００および第２支持部１２に固定された第２部品２００は、移送部（図示せず）によってそれらの相対的位置が移動し、互いに積層されることによって、積層体を提供することができる。
【００５９】
この際、前記積層体が高精度で付着されるように、前述したマルチビジョンシステムを利用して第１および第２部品の配列を調節することができる。また、第１および第２部品が良好に付着されるように、付着ローラーを利用して第１および第２部品の積層体に圧力を印加することができる。
【００６０】
１つの例示において、第１部品は、特性が異なる第１領域と第２領域を含むパターンが形成されたものであることができ、第２部品は、特性が異なる第３領域と第４領域を含むパターンが形成されたものであることができる。例えば、第１部品は、前述したように、ＵＲ領域およびＵＬ領域を含むパターンが形成された液晶パネルであることができ、第２部品は、ＦＲ領域およびＦＬ領域を含むパターンが形成された立体映像表示用光学フィルタであることができる。すなわち、前記液晶パネルの第１領域は、ＵＲ領域であり、第２領域は、ＵＬ領域であり、前記立体映像表示用光学フィルタの第３領域は、ＦＲ領域であり、第４領域は、ＦＬ領域であることができる。したがって、前記マルチビジョンシステムは、前記液晶パネルと前記立体映像表示用光学フィルタが互いに積層された状態でＵＲ領域がＦＲ領域とマッチングされ、ＵＬ領域がＦＬ領域とマッチングされるかを確認することができる。前記マッチングは、ＵＲ領域がＦＲ領域と正確に重なって、ＵＲ領域がＦＬ領域と重ならないことを意味するが、実質的に発生し得る製造誤差などを含むことができる。製造誤差は、例えば、前述した１００μｍ以内、５０μｍ以内、３０μｍ以内または１０μｍ以内の範囲であることができる。
【００６１】
もし、前記マッチングが正確ではなければ、マッチングが正確になるように、第１および第２部品の相対的位置を調節することができる。このような過程を通じて第１および第２部品を高精度で付着することができる。１つの例示において、前記積層体が立体映像表示装置である場合、液晶パネルと立体映像表示用光学フィルタのＵＲ領域とＦＲ領域が正確に一致し、ＵＬ領域とＦＬ領域が正確に一致することができる。したがって、このような製造方法で製造された立体映像表示装置は、クロストーク（ｃｒｏｓｓ−ｔａｌｋ）現象が発生する可能性が非常に少なくて、立体映像の品質に非常に優れている。
【００６２】
１つの例示において、前記マルチビジョンシステムによって第１および第２部品の像を確認することは、前述したように、閉鎖構造で進行されることができる。したがって、第１および第２部品がマッチングされるように配列された状態で最小限の動きだけで第１および第２部品が積層されることができる。
【００６３】
前記マルチビジョンシステムによって配列された第１および第２部品は、配列状態を維持したまま互いに積層されることができる。もし、マルチビジョンシステムの閉鎖構造が第１および第２部品が接触された状態で駆動されたら、互いに積層されるように第１および第２部品の相対的位置を調節することを省略することができる。
【００６４】
前記第１および第２部品の積層体は、例えば、前述したように、通常の粘着剤および接着剤が第１および第２部品の間に介在されて積層されたものであることができる。この際、第１および第２部品の積層体に付着ローラーを利用して圧力を印加することによって、第１および第２部品を付着させることができる。
【００６５】
このような過程を通じて互いに付着された積層体は、アンローディング（ｕｎｌｏａｄｉｎｇ）され、製品として生産されるか、または後続工程に導入されることができる。
【符号の説明】
【００６６】
１１  第１支持部
１１１  保持台
１１２  固定装置
１１３  ホール
１１１１  保持台の末端部
１１１２  保持台の中央部
１２  第２支持部
１３  マルチビジョンシステム
１３１  第１ビジョンカメラ
１３２  第２ビジョンカメラ
１３３  全反射レンズ
１３４  照明
１４  付着ローラー
１００  第１部品
１００１  第１領域
１００２  第２領域
２００  第２部品
２００１  第３領域
２００２  第４領域
３００  積層体
【図１】
2014524592.tif 000003
【図２】
2014524592.tif 000004
【図３】
2014524592.tif 000005
【図４】
2014524592.tif 000006
【図５】
2014524592.tif 000007
【図６】
2014524592.tif 000008
【図７】
2014524592.tif 000009
【図８】
2014524592.tif 000010
【国際調査報告】
2014524592.tif 000011
2014524592.tif 000012
2014524592.tif 000013
2014524592.tif 000014
2014524592.tif 000015
2014524592.tif 000016